(57)【特許請求の範囲】
【請求項１】
プロペラ式の扇風機（シロッコファン式のタワー型扇風機は除く）においてワイヤレス
式操作部を扇風機頂部近傍（プロペラカード頂部及び電動機カバー上方でプロペラカバー
頂部同等高さ以上）に操作可能な状態に設置させるために、扇風機本体と別体のワイヤレ
ス式操作部ホルダーを有し、そのホルダーはプロペラガード例えば、ワイヤー等の形状に
取り付けられる係止構造を有することを特徴とする扇風機。
【請求項２】
プロペラ式の扇風機（シロッコファン式のタワー型扇風機は除く）においてワイヤレ
ス式操作部を扇風機頂部近傍（プロペラカード頂部及び電動機カバー上方でプロペラカバ
ー頂部同等高さ以上）に操作可能な状態に設置させるために、扇風機本体と別体のワイヤ
レス式操作部ホルダーを有し、そのホルダーは、電動機カバーの上方に取り付けられるた
めに、電動機カバー（ハンドル含む）とホルダー部それぞれにおいて取り付け可能な係止
構造を有することを特徴とする扇風機。
【発明の詳細な説明】
【技術分野】
【０００１】
本発明は、操作部を有し床に置いて使用するプロペラ式扇風機（シロッ
コファン式のタワー型扇風機は除く、羽の無い扇風機は含む）に関する。          
【背景技術】
【０００２】
プロペラガード・電動機・支柱・基台から構成される一般的な扇風機の
多くは、操作部が基台に設けられており、スイッチ操作時には屈んだり、腰を曲げて床近
くのスイッチを押す必要があるなど無理な姿勢を強いていた。このような扇風機は立った
ままの楽な姿勢で操作できることが望ましい。
【０００３】
そのために操作部は扇風機の正面に立ったときに、視認性が良く指で楽
に操作できる位置と角度に設けることが望ましい。
【先行技術文献】
【特許文献】
【０００４】
扇風機の操作性や視認性を高めるため、操作部を基台から支柱に移させたもの（例えば、特許文献１の図１、図５、図６参照）、ワイヤレス式操作部（以下、リモコンと称す）を立ったまま取り出しやすい場所に格納したもの（特許文献２の図１、図２の符合３０及び特許文献３の図１参照）。  
【０００５】
【特許文献１】特開平１０-６１５８８号公報
【特許文献２】特開２０１３-１８５５６２公報
【特許文献３】実用新案  第２５３９９８８号
【発明の概要】
【発明が解決しようとする課題】
【０００６】
本発明は、扇風機のスイッチ操作を立ったまま楽な姿勢でかつ視認性がよく
操作できるようにするものである。
【０００７】
一般的な扇風機は操作部が基台に設けているのが主流であるが、近年は支柱や電動機カバー上面にあるものが発売されている。しかしこれらの扇風機はデザイン性は良いが操作性においては十分ではない。また扇風機の種類の中には、シロッコファン式のタワー型扇風機が在り、上面部に有線式スイッチが設けられている。これは配線の設計が容易なためであり、一般的なプロペラ式の扇風機は扇風機上部にスイッチの設定が困難なため実施されていなかった。
【０００８】
また、基台の操作部のほかにリモコンを付属する扇風機の場合も支柱に取り付けたり、プロペラカバー中央部に格納（特許文献２）したり、電動機カバー後ろ面に格納（特許文献３）したりするものが発売されているが、デザイン性を優先させた格納方法となっており、操作性においては十分ではない。
【０００９】
またリモコンは手元に置いて操作できる便利なものであるが、扇風機から取り外した場合、何処に置いたか忘れてしまうことが多く、結局扇風機本体スイッチで操作することが多く見受けられる。
【課題を解決するための手段】
【００１０】
本発明に係るプロペラ式の扇風機（シロッコファン式のタワー型扇風機は除く）は、リモコンを扇風機上部に操作可能な状態に設置されているものである。
【発明の効果】
【００１１】
本発明に係る扇風機においては、リモコン操作部が扇風機上部に設けられることで視認性及び操作性が従来機に比べ優れている。
【図面の簡単な説明】
【００１２】
【図１】本発明の実施例スタンド型扇風機プロペラガード上部取り付け外観斜視図。
【図２】同実施例スタンド型扇風機プロペラガード上部取り付け外観側面図。
【図３】同実施例スタンド型扇風機電動機カバー取り付け外観斜視図。
【図４】同実施例スタンド型扇風機筒型プロペラガード上面取り付け外観斜視図。
【図５】同実施例卓上型扇風機プロペラガード上面取り付け外観斜視図。
【図６】同実施例の図１の詳細斜視図。
【図７】同実施例の図１の詳細斜視図。
【図８】同実施例の図１の詳細斜視図。
【図９】同実施例の図１の詳細斜視図。
【図１０】同実施例の図４の詳細斜視図。
【図１１】同実施例の図３の詳細斜視図。
【図１２】同実施例の図１１の詳細斜視図。
【図１３】同実施例の図３の詳細斜視図。
【図１４】同実施例の図１３の詳細斜視図。
【発明を実施するための形態】
【００１３】
図1から図５までは本発明の実施形態例で、扇風機に操作部を設けた場合の具体例である。図に示すように操作性を改善するために扇風機頂部近傍、プロペラガード１,２もしくは電動機カバー３上方部に操作部を設けている。
【００１４】
操作部をプロペラガードに取り付ける場合、ほとんどのガードは金属の細いワイヤー製である。図６から図９まではワイヤーを使って操作部を固定する方法の詳細図である。設ける場所は図に示す通り多種考えられるがここでは代表して図1のプロペラガード前面に取り付ける場合の実施例を４例説明する。
【実施例】
【００１５】
図６に示すように操作部は配線が不要なリモコンが適しており、赤外線
方式でも無線方式その他何でも良い。プロペラガードに取り付けるためにはホルダー９が
必要であり、ホルダー９にはプロペラガードに固定させるための固定ツメ１１がワイヤー
のピッチに合わせて設けられている。またホルダーが左右に動かないように位置決めのス
リット１０も設けられている。またリモコンをホルダーに固定する方法として、リモコン
の側面の凹１５を設けホルダー９の固定ツメ１３の凸１４を使ってリモコンを保持する。
凸１２はリモコンの位置決め用でありリモコン裏面は凹になっている。図に示すホルダー
固定用のツメは一例であってそれぞれの位置や数量、形状はこの限りではない。
【００１６】
図７は市販の扇風機に汎用部品としてホルダーを提供する場合の実施  例を示す。市販の扇風機のプロペラガードはワイヤーの間隔や直径がメーカーによって異なることからホルダーはそれらに対応が必要となる。それを解決するのがスライダー２１である。ホルダー９のガイド穴２２に左右から取り付ける。スライダー面には凹が一定間隔に設置されておりこのガイド穴２２の内部に設けた凸と勘合し左右のスライダー２１の幅調整が可能となる。スライダー２１にはワイヤーを固定するフック２４が付いておりプロペラガードに取り付け後スライダーをワイヤーの間隔に合わせるように狭めてホルダーを固定する。市販の扇風機のリモコンもメーカーにより形状が様々なのでホルダーへの固定は粘着マット２３を使用する。このマットは、弱粘着素材でリモコンを適度に吸着するため操作時には固定されているが、取り外して使用することも容易である。
【００１７】
図８は取り付けをプロペラガードの裏側からネジ３２を使ってホルダー９を固定するものである。固定強度が得られることとワイヤーの間隔に左右されないようにホルダー９には様々な間隔に対応すべくネジ用の穴３１が一定間隔で開いておりほとんどのガードに取り付けることが可能である。またガードの取り付け方法に関してはネジ３２を使わずクリップでホルダーと挟んでガードに取り付けることも可能である。リモコンはホルダーの窪み３３を利用してボックスの中に置いておくことも可能であり。また吸着マット２４にて固定も可能である。
【００１８】
図９については、プロペラガード１はほとんどの場合、金属製でできている。製造過程でガード上面部に金属プレート４１を成型し、磁石内臓のリモコン４２を設置すれば付属品としてホルダーを使用せずにリモコンを固定することができる。なお凸４３は位置決め用でありリモコン裏面には凹が形成されている。
【００１９】
図６から図９はプロペラガードへのリモコンの取り付け例であるが各々扇風機とホルダー、リモコンとホルダーの組み合わせは自由である。
【００２０】
図１０は近年発売されているDC電動機扇風機に使用されているプロペラガードである。上面は円筒形になっているものが多くほとんどが樹脂製でできている。そのためホルダーを取り付ける形状は自由に一体成型可能であるため色々な設置が考えられるが一例を示す。リモコンに設けた溝５１にプロペラガード６のツメ５２が勘合して取り付ける。
【００２１】
【００２２】
図１１及び図１２は電動機カバー上面に設置する実施例を示したものである。電動機カバーはほとんどが樹脂製であるためリモコンホルダーを取り付けるための形状も図１１に示すように形成すれば容易に取り付けることが可能である。リモコン８とホルダー７０は一体でも別体でも良い、ホルダー７０の切欠き７１と電動機カバー３のフック７２が勘合して固定される。
【００２３】
図１３及び図１４（詳細図）は電動機カバー３にハンドル７が形成されている場合の取り付け事例である。この場合電動機カバー３の上面にホルダー７０を図１３のように取り付けても良いが、ハンドル７を利用してホルダー８０を取り付けても良い。取り付け方法の一例としてハンドル７の側面にフック８２を設け、ホルダー８０に形成した切欠き８１を上方より挿入勘合させる方法がある。
【符号の説明】
【００２４】
１.前面プロペラカバー、２.背面プロペラカバー、３．電動機カバー、４.支柱、５.基台、６.樹脂製プロペラガード、７．ハンドル電動機、８.リモコン、９．ホルダー、１０．位置決めガイド溝、１１．ワイヤー固定ツメ、１２.位置決め凸、１３.リモコン固定ツメ、凸１４、凹１５、２１.スライダー、２２．ガイド穴、２３．吸着マット、２４．ワイヤー固定フック、３１.ネジ用の穴、３２．ネジ、３３．窪み（リモコンが落ちないため）、４１．金属プレート、４２．磁石内臓のリモコン、４３.リモコン位置決め凸、５１.リモコン取り付け切欠き、５２．リモコン取り付けL型リブ、７０.電動機カバー取り付けホルダー、７１.ホルダー取り付け切欠き、７２．ホルダー取り付けL型ホルダー、８０．ハンドル取り付けホルダー、８１．ハンドル取り付け切欠き、８２．ハンドル取り付けT型リブ
【要約】      （修正有）【課題】プロペラを有するスタンド型の扇風機（シロッコファン式のタワー型扇風機は除く）を、立ったままの楽な姿勢で操作できるようにする。【解決手段】プロペラ式の扇風機（シロッコファン式のタワー型扇風機は除く）において、リモコン８を扇風機頂部（プロペラガード頂部及び電動機カバー３上方でプロペラカバー頂部同等高さ以上）に操作可能な状態に扇風機とは別体のホルダー９を使って設置することで、操作性や視認性を高めることができる。また不必要な場合にはホルダー９を取り外すことで意匠性を優先することも可能である。【選択図】図１【図１】
0005610361.tif 000002
【図２】
0005610361.tif 000003
【図３】
0005610361.tif 000004
【図４】
0005610361.tif 000005
【図５】
0005610361.tif 000006
【図６】
0005610361.tif 000007
【図７】
0005610361.tif 000008
【図８】
0005610361.tif 000009
【図９】
0005610361.tif 000010
【図１０】
0005610361.tif 000011
【図１１】
0005610361.tif 000012
【図１２】
0005610361.tif 000013
【図１３】
0005610361.tif 000014
【図１４】
0005610361.tif 000015